(57)【要約】本発明は生体電気発生針に関するもので、一定の長さを有する針体２の上段外面に捲取されて接触する陽極性金属４と、前記陽極性金属４の下部に位置されて針体２の外面に設置されて電解物質が含まれた隔膜部材６と、前記隔膜部材６の外面に捲取された陰極性金属８とから構成され、隔膜部材に電解物質の水が吸収されれば、陽極性金属と陰極性金属が電位差を起こして、微細電流が発生されることができ、携帯および移動が容易で、安い価格で普及することができる。【選択図】なし
2010532199.tif 000002
【特許請求の範囲】
【請求項１】
一定の長さを有する針体２の上段外面に捲取されて接触する陽極性金属４と、
前記陽極性金属４の下部に位置され、針体２の外面に設置されて電解物質が含まれた隔膜部材６と、
前記隔膜部材６の外面に捲取された陰極性金属８と、
を含んでなることを特徴とするディスポ−ザブル電気針。
【請求項２】
内側に挿入孔２２０’が形成された取っ手２２’と、前記挿入孔２２０’に上段が挟まれて結合される針体２’から構成されたものであり、
前記挿入孔２２０’の内面の一側には前記針体２’の外面に直接接触する陽極性金属４’が設置され、
前記挿入孔２２０’の内面の他側には前記針体２’の外面と離隔されて、陰極性金属８’が設置され、
前記陽極性金属４’と陰極性金属８’の間に設置されて電解物質が含まれた隔膜部材６’を含んでなることを特徴とする生体電気発生針。
【請求項３】
内面一側に薄板状でシルク印刷して陽極性金属４”が形成され、前記陽極性金属４”と離隔され、薄板状でシルク印刷された陰極性金属８”が形成されたフィルム紙６”と、
前記陽極性金属４”に外面の下部が接着ｃされて、前記フィルム紙６”に縦方向に設置された針体２”と、
前記陽極性金属４”および針体２”の上部にコ−ティングされた電解質膜６２”と、
を含んでなることを特徴とする生体電気発生針。
【請求項４】
一定の長さを有する針体２の頭部の外面にメッキされた陽極性金属４と、
前記陽極性金属４の外面に捲取される仕上げ材７と、
仕上げ材７の内面にシルク印刷で形成された陰極性金属８と、
前記陰極性金属８の上面に付着された隔膜部材６と、
を含んでなることを特徴とする生体電気発生針。
【請求項５】
一定の長さを有する針体２と、前記針体２に付着されて電気を発生する電気発生部ｅから構成された生体電気発生針において、
前記電気発生部ｅはスティック形状で成り、
上面に粘着剤が塗布された長方形のフィルム紙７と、
前記フィルム紙７の上面中央部に薄板状で付着された隔膜部材６と、
前記フィルム紙７の上面一側に金属粉末をシルク印刷して、前記隔膜部材６の上面一側に重なるように形成され、一段には前記フィルム紙７の中央部まで延びた延長部４３を有するように形成された陽極性金属４と、
前記フィルム紙７の上面他側に金属粉末をシルク印刷して前記隔膜部材６の上面他側に重なるように形成され、前記陽極性金属４から一定間隔で離隔されるように形成された陰極性金属８と、
前記フィルム紙７、隔膜部材６、陽極性金属４および陰極性金属８の上面全部にコ−ティングされる異形紙１１と、
を含んでなることを特徴とする生体電気発生針。
【請求項６】
一定の長さを有する針体２と、前記針体２に付着されて電気を発生する電気発生部ｅから構成された生体電気発生針において、
前記電気発生部ｅはスティック形状で成り、
上面下部に粘着剤が塗布された長方形のフィルム紙７と、
前記フィルム紙７の上面一側に金属粉末をシルク印刷して形成され、一端にはフィルム紙７の中央部まで延びた延長部４３を有するように形成された陽極性金属４と、
前記フィルム紙７の上面他側に金属粉末をシルク印刷して形成され、前記陽極性金属４から一定間隔で離隔されるように形成された陰極性金属８と、
前記フィルム紙７の上面中央部に吸水性物質を塗布して形成され、下面両側が前記陽極性金属４および陰極性金属８と一部分が重なるように形成された電解層６ａと、
前記フィルム紙７、電解層６ａ、陽極性金属４および陰極性金属８の上面全部にコ−ティングされる異形紙１１を含んでなることを特徴とする生体電気発生針。
【請求項７】
一定の長さを有する針体２の頭部の外面にメッキされた陽極性金属４と、
前記陽極性金属４の外面に挟まれて結合された管形状の隔膜部材６と、
前記隔膜部材６の外面に捲取されたテ−プ形状の陰極性金属８と、
を含んでなることを特徴とする生体電気発生針。
【請求項８】
請求項１〜７のいずれか一項に記載の、
前記陽極性金属４、４’、４”は、金(Ａｕ)、白金(Ｐｔ)、銀(Ａｇ)、銅(Ｃｕ)、鉛(Ｐｂ)、錫(Ｓｎ)、ニッケル(ＮＩ)の中で選択されたいずれか一つであることを特徴とする生体電気発生針。
【請求項９】
請求項１〜７のいずれか一項に記載の、
前記隔膜部材６、６’、６”は、電解物質の水、硫酸、塩成分が含まれたスポンジ、パルプ繊維、フィルム紙の中選択されたいずれか一つであることを特徴とする生体電気発生針。
【請求項１０】
請求項１〜７のいずれか一項に記載の、
前記陰極性金属８、８’、８”は、カルシウム(Ｃａ)、カリウム(Ｋ)、ナトリウム(Ｎａ)、マグネシウム(Ｍｇ)、アルミニウム(Ａｌ)、亜鉛(Ｚｎ)、鉄(Ｆｅ)の中で選択されたいずれか一つであることを特徴とする生体電気発生針。
【請求項１１】
請求項１〜７のいずれか一項に記載の、
前記陽極性金属４、４’、４”または陰極性金属８、８’、８”は相互反対に設置されることができることを特徴とする生体電気発生針。
【請求項１２】
請求項２に記載の、
前記取っ手２２’の側面には、前記挿入孔２２０’と通じるように通孔２２２’が形成されたものであり、前記通孔２２２’を通じて、電解物質が吸収されるようにしたことを特徴とする生体電気発生針。
【請求項１３】
請求項３に記載の、
前記陰極性金属８”は前記針体２”に接触された陽極性金属４”の接着部位ｃがつかないように前記陽極性金属４”より最も小さい大きさで形成されたことを特徴とする生体電気発生針。
【請求項１４】
請求項４に記載の、
前記仕上げ材７は、長方形のテ−プ形状であり、前記針体２の上段から下方に離隔されて固定されることによって前記針体２の上段が外部に見えるようにしたことを特徴とする生体電気発生針。
【請求項１５】
請求項６に記載の、
前記電解層６ａは、吸水性化学物質を塗布して形成されたことを特徴とする生体電気発生針。
【請求項１６】
請求項６に記載の、
前記フィルム紙７の上面および前記電解層６ａの間には水を引き込むことができる空間９が形成されたことを特徴とする生体電気発生針。
【発明の詳細な説明】
【技術分野】
【０００１】
本発明は、人体の經絡に施術する生体電気発生針に関するもので、携帯と移動が簡便であり、また安全に生体電流を針を通じて流れるようにして気の流れを円滑にする生体電気発生針に関するものである。
【背景技術】
【０００２】
自然の一部である私たちのからだは、電気の影響を受けており、人体には生体電流が発生して、全身を循環することになる。このような、生体電気(ｂＩｏｅｌｅｃｔｒＩｃＩｔｙ)とは、生体から発生する電気現象であり、ガルバ−ニによって発見された。通常、出生の際、５〜６Ｖの電気がからだに流れるが、生物学的老人になると２.５Ｖ以下に落ちると知られている。
【０００３】
したがって、体内の生体電流に異常が生じれば疾病が発生し、このような生体電流は漢方医学の針療法および現代科学の新臨床治療で多様に応用されている。
【０００４】
漢方医学の針療法は、経穴と經絡に対して行われており、経穴と經絡に対しては今まではその実体が不明確だったが、最近国内研究陣によって、經絡の解剖学的実体が確認された。
【０００５】
延世大原州医大生化学教室キム・ヒョンウォン教授チ−ムは、その間、気という神秘なエネルギ−が流れる所とだけ知らされた經絡の実体を解剖学的に確認するに成功した。
延世大原州医大生化学教室キム・ヒョンウォン教授チ−ムは、透過型電子顕微鏡(TＥＭ)を利用して、ウサギの体内皮膚だけでなく血管の裏と表、腹膜、内部臓器表面などで經絡を撮影するに成功した。
添付した図１２ないし図１５は、經絡を撮影した図面代用写真らである。
【０００６】
このような、経穴に対する針術に使われる針は、伝統的な針の他にも最近では生体電流に対する治療法を利用する電気針が開発された。
【０００７】
前記電気針は、１８１６年頃、フランスのベルリオ−ズによって、電流が流れる針療法で神経痛を治療するのを発表し、１８２５年頃にはフランスの医師のＳａｒｌａｎｄＩｅｒが、電気針を応用して痛風と神経系統の治療をした。また１９２１年ごろに英国人  Ｅ．Ａ．ゴ−ルデンによって現代の電気針療法が基礎を成し遂げたし、以後中国、日本、ドイツなどで活発な研究が進行されている。
【０００８】
特に、このような電気針によって、穴所に持続的な電流を送ることで、穴周辺の地上細胞を分解および排泄管を通じて、排泄させるようにして健康を維持するようにし、施術後または分娩の後、急慢性痛みの緩和などに利用されている。
【発明の概要】
【発明が解決しようとする課題】
【０００９】
しかし、現在電気針に使われている電気発生は、ＡＣ電流をダウンして使うものであって、人体に微量の生体電流が流れるようにするにも電気装置の誤作動が発生すれば、人体に大きな電流が流れ、電気ショックが発生する恐れがあるだけでなく患者の生命にも悪影響を及ぼすなどの問題点が発生する。
【００１０】
これに、本出願人は安全で簡便な電気針に対して出願したことがあり、これは大韓民国登録特許１０−０７２４１０６号に開示されている。
しかし、前記特許技術は携帯性に多少不十分な問題点があった。
【００１１】
本発明は前記した従来技術の問題点を解消するため案出されたものであって、携帯および移動が容易で、安い価格に普及することができる生体電気発生針を提供するにその目的がある。
【課題を解決するための手段】
【００１２】
前記した本発明の目的は、
一定の長さを有する針体の上部に陽極性金属と陰極性金属が設置されていて、前記陽極性金属と陰極性金属の間には電解物質が含まれた隔膜部材が設置されて行われることを特徴とするディスポ−ザブル電気針によって、達成される。
【００１３】
前記陽極性金属とは、金、白金、銀、銅、鉛、錫、ニッケルの中で選択されたいずれか一つであり、前記陰極性金属とは、カルシウム、カリウム、ナトリウム、マグネシウム、アルミニウム、亜鉛、鉄の中で選択されたいずれか一つであることを特徴とする。
【００１４】
前記隔膜部材とは、水、硫酸などの電解物質が含まれたスポンジ、パルプ繊維、フィルム紙の中で選択されたいずれか一つからなることを特徴とする。
【図面の簡単な説明】
【００１５】
【図１】図１は本発明による生体電気発生針の第１実施例を示した図面である。
【図２】図２は本発明による生体電気発生針の第２実施例を示した図面である。
【図３】図３は本発明による生体電気発生針の第３実施例を示した図面である。
【図４】図４は本発明による生体電気発生針の第３実施例の断面図である。
【図５】図５は本発明による生体電気発生針の第４実施例を示した図面である。
【図６】図６は本発明による生体電気発生針の第４実施例のＩ−Ｉ線断面図である。
【図７】図７は本発明による生体電気発生針の第５−１実施例を示した図面である。
【図８】図８は本発明による生体電気発生針の第５−１実施例のＩ−Ｉ線断面図である。
【図９】図９は本発明による生体電気発生針の第５−２実施例を示した図面である。
【図１０】図１０は本発明による生体電気発生針の第５−２実施例のＩ−Ｉ線断面図である。
【図１１】図１１は本発明による生体電気発生針の第６実施例を示した図面である。
【図１２】図１２は經絡を撮影した図面代用写真である。
【図１３】図１３は經絡を撮影した図面代用写真である。
【図１４】図１４は經絡を撮影した図面代用写真である。
【図１５】図１５は經絡を撮影した図面代用写真である。
【発明を実施するための形態】
【００１６】
以下、本発明の望ましい実施例を添付した図面に基づいて詳細に説明すると次のようである。
添付した図１は、本発明による生体電気発生針の第１実施例を示した図面である。
【００１７】
[第１実施例]
図１に示されたように、第１実施例Ａ１は、一定の長さを有する針体２の上段外面に捲取されて接触する陽極性金属４と、前記陽極性金属４の下部に位置され、針体２の外面に設置された隔膜部材６と、前記隔膜部材６の外面に捲取された陰極性金属８と、から構成される。
【００１８】
ここで、前記陽極性金属４と陰極性金属８は、相互反対に設置されることができる。
前記針体２は、導電性の金属材で、一定の長さを有する棒状であり、下段には尖鋭な先端部が形成され、上段にはコイルまたは棒体が結合されて太い直径の頭部が形成される。
【００１９】
前記陽極性金属４は、前記針体の頭部の外面にコイル状で捲取され、その材質とは、金(Ａｕ)、白金(Ｐｔ)、銀(Ａｇ)、銅(Ｃｕ)、鉛(Ｐｂ)、錫(Ｓｎ)、ニッケル(ＮＩ)の中で選択されたいずれか一つが使われており、本実施例では銅(Ｃｕ)が主に使われている。
【００２０】
前記隔膜部材６は、針体が挟まれるように内側に通路が形成された円筒形であり、上段には環鍔６２が形成されることで、陽極性金属４と陰極性金属８の境界になるようにし、その材質とは、電解物質の水、硫酸、塩成分が含まれたスポンジ、パルプ繊維、フィルム紙の中で選択されたいずれか一つが使われている。
【００２１】
前記隔膜部材６に対しては、以下の他の実施例でも同一なのでその重複説明は省略することにする。
【００２２】
前記陰極性金属８は、前記隔膜部材６の外面にコイル状で捲取され、その材質とは、カルシウム(Ｃａ)、カリウム(Ｋ)、ナトリウム(Ｎａ)、マグネシウム(Ｍｇ)、アルミニウム(Ａｌ)、亜鉛(Ｚｎ)、鉄(Ｆｅ)の中で選択されたいずれか一つが使われており、本実施例では亜鉛(Ｚｎ)が主に使われる。
【００２３】
前記陽極性金属４または陰極性金属８は、相互反対に設置されることができるのは当然で、前記陽極性金属４および陰極性金属８に対しては以下の他の実施例でも同一なのでその重複説明は省略することにする。
【００２４】
このように構成された第１実施例Ａ１の針を經絡に施術した後、その上部に水をつけると、内側の陽極性金属４は“＋“電気を帯びることになり、外側の陰極性金属８は“−“電気を帯びることになって、前記陽極性金属４と陰極性金属８の間の電位差による電気が針に流れることになる。
【００２５】
したがって、針を通した微細電流が經絡を刺激して、血行を円滑にするなど有益な効果を得ることができるようになる。
添付した図２は、本発明による生体電気発生針の第２実施例を示した図面である。
【００２６】
[第２実施例]
図２に示されたように、第２実施例Ａ２は、
内側に挿入孔２２０’が形成された取っ手２２’と、前記挿入孔２２０’に上段が挟まれて結合される針体２’から構成されたものであり、前記挿入孔２２０’の内面の一側には前記針体２’の外面に直接接触される陽極性金属４’が設置され、前記挿入孔２２０’の内面の他側には前記針体２’の外面と離隔されて、陰極性金属８’が設置され、前記陽極性金属４’と陰極性金属８’の間に隔膜部材６’が設置されて実施される。
【００２７】
前記取っ手２２’の挿入孔２２０’には、まず針体２’を縦方向に挿入し、前記針体２’に接地されるように陽極性金属４’を挟んで挿入し、前記陽極性金属４’に接地されるように隔膜部材６’を挟んで挿入し、前記隔膜部材６’に接地されるように陰極性金属８’を挿入して結合させる。
【００２８】
ここで、前記陽極性金属４’または陰極性金属８’は、相互反対に設置されることができるのは当然である。
【００２９】
前記取っ手２２’の側面には、内部の挿入孔２２０’と通じるように通孔２２２’が形成されているが、前記通孔２２２’を通じて電解物質が吸収されることができる。
【００３０】
前記針体２’は、導電性の金属材で形成され、取っ手２２’の上段に一部が突出されるように設置される。
【００３１】
前記隔膜部材６’は、前記挿入孔２２０’に埋立され、取っ手２２’の上段に突出されるように設置される。
【００３２】
したがって、前記のように構成された第２実施例は、前記取っ手２２’の上段に突出された針体２’に水をつけると陽極性金属４’は“＋”電気を帯びることになり、外側の陰極性金属８’は“−”電気を帯びることになって、前記陽極性金属４’と陰極性金属８’の間の電位差による電気が針体２’に流れることになる。
【００３３】
したがって、針体２’を経穴に施術すると微細電流が經絡を刺激して、血行を円滑にする。
添付した図３は、本発明による生体電気発生針の第３実施例を示した図面であり、図４は本発明による生体電気発生針の第３実施例のＩ−Ｉ線断面図である。
【００３４】
[第３実施例]
図３および図４に示されたように、第３実施例Ａ３は、
内面一側に薄板状でシルク印刷して、陽極性金属４”が形成され、前記陽極性金属４”と離隔されて薄板状でシルク印刷された陰極性金属８”が形成されたフィルム紙６”と、
前記陽極性金属４”に外面の下部が接着ｃされて、前記フィルム紙６”に付着された針体２”と、
前記陽極性金属４”を被るように針体２”の上部にコ−ティングされた電解質膜６２”と、から構成される。
前記フィルム紙６”の一段、すなわち図３に示されたように、一番左側には所定の通孔６１”が形成されることで、これを通じて、水分が浸透されて陽極性金属４”に伝えられることができる。
【００３５】
したがって、前記フィルム紙６”を一番左側から捲取させて針体２”を取り囲むと、前記陽極性金属４”は針体２”の一面に接触され、前記陰極性金属８”は左側の通孔６１”が形成されたフィルム紙６”および電解質膜６２”を間に置いて針体２”の外面に配置される。
【００３６】
そして、前記針体２”は、その上段が前記フィルム紙６”の上部に突出されるように設置される。
【００３７】
前記陰極性金属８”は、フィルム紙６”を捲取させた時、針体２”に接触された陽極性金属４”の接着部位ｃがつかないようにするため、陽極性金属４”より最も小さい大きさで形成されることが望ましい。
【００３８】
このように構成された第３実施例は、針体２”の上部に水をつけると、陰極性金属８”には“−”電気を帯びることになり、陽極性金属４”には“＋”電気を帯びることになって、前記陽極性金属４”と陰極性金属８”の間の電位差による電気が針体２”に流れることになる。
【００３９】
したがって、針体２”を経穴に施術すれば微細電流が經絡を刺激して、血行を円滑にする。
添付した図５は本発明による生体電気発生針の第４実施例を示した図面で、図６は本発明による生体電気発生針の第４実施例のＩ−Ｉ線断面図である。
【００４０】
[第４実施例]
図５および図６に示されたように、第４実施例Ａ４は、
一定の長さを有する針体２の頭部の外面にメッキされた陽極性金属４と、
前記陽極性金属４の外面に捲取される仕上げ材７と、
仕上げ材７の内面にシルク印刷で形成された陰極性金属８と、
前記陰極性金属８の上面に付着された隔膜部材６と、
を含んで構成される。
【００４１】
前記仕上げ材７は長方形のテ−プ形状であり、図６に示されたように、一番左側終端が前記針体２の陽極性金属４の下部に固定される。
【００４２】
この時、針体２は上段が仕上げ材７の上段外部に突出されてみられるようにする。
前記陽極性金属４または陰極性金属８は相互反対に設置されることができるのは当然で、これに対する詳細説明は第１実施例で明らかにしたことがあるので省略する。
【００４３】
前記隔膜部材６は、水分の吸収が容易な繊維材質またはパルプシ−トからなり、電解物質が含まれている。
【００４４】
したがって、前記陽極性金属４に固定された部位から仕上げ材７を捲取させると隔膜部材６を間に置いて陰極性金属８が配置される。
【００４５】
このように構成された第４実施例Ａ４は、針体２の上部に水をつければ、陽極性金属４は“＋”電気を帯びることになり、陰極性金属８は“−”電気を帯びることになって、前記陽極性金属４と陰極性金属８の間の電位差による電気が針体２に流れることになる。
【００４６】
したがって、針体２を経穴に施術すれば微細電流が經絡を刺激して、血行を円滑にする。
添付した図７は本発明による生体電気発生針の第５−１実施例を示した図面で、図８は本発明による生体電気発生針の第５−１実施例のＩ−Ｉ線断面図である。
【００４７】
[第５−１実施例]
図７および図８に示したように、第５−１実施例Ａ５−１は、
一定の長さを有する針体２と、前記針体２に付着されて電気を発生する電気発生部ｅから構成された生体電気発生針において、
前記電気発生部ｅはスティック形状でなり、
上面に粘着剤が塗布された長方形のフィルム紙７と、
前記フィルム紙７の上面中央部に薄板状で付着された隔膜部材６と、
前記フィルム紙７の上面一側に金属粉末をシルク印刷して、前記隔膜部材６の上面一側に重なるように形成され、一端には前記フィルム紙７の中央部まで延びた延長部４３を有するように形成された陽極性金属４と、
前記フィルム紙７の上面他側に金属粉末をシルク印刷して、前記隔膜部材６の上面他側に重なるように形成され、前記陽極性金属４から一定間隔で離隔されるように形成された陰極性金属８と、
前記フィルム紙７、隔膜部材６、陽極性金属４および陰極性金属８の上面全部にコ−ティングされる異形紙１１と、
を含んで構成される。
【００４８】
前記電気発生部ｅは、スティック形状であって、いずれの種類の針にでも付着が可能で、１回使用後、廃棄される。
【００４９】
前記隔膜部材６は、水分の吸収が容易な繊維材質またはパルプシ−トからなり、伝導性接着剤によって、接着される。
【００５０】
前記陽極性金属４は、フィルム紙７の上面一側に形成され、前記隔膜部材６の一側に重なるようにＸ１形成され、その一端にはフィルム紙の中央部まで延長形成されることによって針体と直接接触される延長部４３が形成される。
【００５１】
前記陰極性金属８は、前記陽極性金属４から一定間隔で離隔できるようにフィルム紙７の上面他側に形成され、前記隔膜部材６の他側に重なるようにＸ２形成される。
【００５２】
前記陽極性金属４および陰極性金属８は、金属粉末にだけ限定されず、金属固体であることもあるは当然である。
【００５３】
前記異形紙１１は、隔膜部材６およびフィルム紙９を保護するため付着されるビニルカバ−であって、使う前にあらかじめ除去されなければならないだろう。
【００５４】
したがって、図８を参照して調べると、異形紙１１を除去させた後、隔膜部材６に針体２の頭部を当てて押せば、フィルム紙７の粘着剤に粘着固定される。
【００５５】
ここで、前記針体２は従来針術用途で使われるすべての種類の針がみな適用されることができる。
【００５６】
以後、針体２の上部に水をつければ、陽極性金属４は“＋”電気を帯びることになり、陰極性金属８は“−”電気を帯びることになって、前記陽極性金属４と陰極性金属８の間の電位差による電気が針体２に流れることになる。
【００５７】
したがって、針体２を経穴に施術すれば微細電流が經絡を刺激して、血行を円滑にする。
添付した図９は本発明による生体電気発生針の第５−２実施例を示した図面で、図１０は本発明による生体電気発生針の第５−２実施例のＩ−Ｉ線断面図である。
【００５８】
[第５−２実施例]
図９および図１０に示したように、第５−２実施例Ａ５−２は、
一定の長さを有する針体２と、前記針体２に付着されて、電気を発生する電気発生部ｅと、から構成された生体電気発生針において、
前記電気発生部ｅはスティック形状でなり、
上面下部に粘着剤が塗布された長方形のフィルム紙７と、
前記フィルム紙７の上面一側に金属粉末をシルク印刷して形成され、一端にはフィルム紙７の中央部まで延びた延長部４３を有するように形成された陽極性金属４と、
前記フィルム紙７の上面他側に金属粉末をシルク印刷して形成され、前記陽極性金属４から一定間隔で離隔されるように形成された陰極性金属８と、
前記フィルム紙７の上面中央部に吸水性物質を塗布して形成され、下面両側が前記陽極性金属４および陰極性金属８と一部分が重なるように形成された電解層６ａと、
前記フィルム紙７、電解層６ａ、陽極性金属４および陰極性金属８の上面全部にコ−ティングされる異形紙１１と、
を含んで構成される。
【００５９】
前記電気発生部ｅは、スティック形状でいずれの種類の針にでも付着が可能で、１回使用後、廃棄される。
【００６０】
前記電解層６ａは吸水性化学物質を塗布して形成される。
前記フィルム紙７の上面および前記電解層６ａの間には一部分には水を引き込むことができる空間９が形成される。
【００６１】
その他、前記フィルム紙７、陽極性金属４および陰極性金属８、異形紙１１の詳細構成は前述した第５−１実施例と同一なので重複説明は省略することにする。
添付した図１１は本発明による生体電気発生針の第６実施例を示した図面である。
【００６２】
[第６実施例]
図１１に示されたように、第６実施例Ａ６は、
一定の長さを有する針体２の頭部の外面にメッキされた陽極性金属４と、
前記陽極性金属４の外面に挟まれて結合された管形状の隔膜部材６と、
前記隔膜部材６の外面に捲取された テ−プ形状の陰極性金属８と、を
含んで構成される。
【００６３】
前記針体２は、その上部の頭部の外面に陽極性金属４をメッキさせ、頭部の上段一部分は外部に露出されるようにしてメッキさせる。
【００６４】
前記隔膜部材６は、主に紙からなった管体形状であり、望ましく電解物質が含まれたものを使う。
【００６５】
前記陰極性金属８は、前記隔膜部材６が結合された針体２の頭部の外面に捲取されるテ−プ形状である。
【００６６】
したがって、前記針体２の頭部の外面に陽極性金属４をメッキさせた後、その外面に管体形状の隔膜部材６を挟んで結合させ、前記隔膜部材６の外面にテ−プ形状の陰極性金属８を捲取させる。
【００６７】
以後、前記針体２の上段に水をつければ前記隔膜部材６に水分が吸収されて、前記陽極性金属４は“＋”電気を帯びることになり、陰極性金属８は“−”電気を帯びることになって、前記陽極性金属４と陰極性金属８の間の電位差による電気が針体２に流れることになる。
【００６８】
したがって、針体２を経穴に施術すれば微細電流が經絡を刺激して、血行を円滑にする。
【００６９】
たとえ本発明が前記言及された望ましい実施例と関連して説明されてきたが、発明の要旨と範囲から逸することなく多様な修正および変形が可能であることは当業者ならば容易に認識するでき、このような変更および修正は皆添付した請求の範囲に属することは自明である。
【産業上利用の可能性】
【００７０】
本発明による生体電気発生針を利用すれば携帯および移動が容易で、安い価格で普及できる効果がある。
【符号の説明】
【００７１】
２：針体                        ４、４’、４”：陽極性金属
６、６’、６”：隔膜部材        ７：仕上げ材
８、８’、８”：陰極性金属      ９：フィルム紙
１１：異形紙                    ２２：取っ手
【図１】
2010532199.tif 000003
【図２】
2010532199.tif 000004
【図３】
2010532199.tif 000005
【図４】
2010532199.tif 000006
【図５】
2010532199.tif 000007
【図６】
2010532199.tif 000008
【図７】
2010532199.tif 000009
【図８】
2010532199.tif 000010
【図９】
2010532199.tif 000011
【図１０】
2010532199.tif 000012
【図１１】
2010532199.tif 000013
【図１２】
2010532199.tif 000014
【図１３】
2010532199.tif 000015
【図１４】
2010532199.tif 000016
【図１５】
2010532199.tif 000017
【国際調査報告】
2010532199.tif 000018
2010532199.tif 000019